【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査装置において、
上記偏向後光学装置が、それぞれが複数光線に作用する第１及び第２の偏向後光学系と、上記第１の偏向後光学系が作用させた複数光線を分離させる第１の光線分離手段と、上記第２の偏向後光学系が作用させた複数光線を分離させる第２の光線分離手段とを有し、  上記偏向前光学装置及び上記光偏向装置が、複数の光線を、上記第１及び第２の偏向後光学系に振り分ける構成を有し、
入射角に対し出射角を変える機能を持つ上記偏向後光学装置の全ての光学素子は、上記光偏向装置の同時期に同一面で偏向される全ての光線に作用する
ことを特徴とする光走査装置。
【請求項２】
上記第１及び又は第２の偏向後光学系へ出射する上記光偏向装置への複数の入射光線を、副走査方向に、上記第１及び又は第２の偏向後光学系内にて、走査線が交差する方向へ傾けたことを特徴とする請求項１に記載の光走査装置。
【請求項３】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査装置において、
上記偏向後光学装置が、それぞれが複数光線に作用する第１及び第２の偏向後光学系と、上記第１の偏向後光学系が作用させた複数光線を分離させる第１の光線分離手段と、上記第２の偏向後光学系が作用させた複数光線を分離させる第２の光線分離手段とを有し、
上記偏向前光学装置及び上記光偏向装置が、複数の光線を、上記第１及び第２の偏向後光学系に振り分ける構成を有し、
上記第１及び又は第２の偏向後光学系へ出射する上記光偏向装置への複数の入射光線を、副走査方向に、上記第１及び又は第２の偏向後光学系内にて、走査線が交差する方向へ傾けた
ことを特徴とする光走査装置。
【請求項４】
全ての光学部品は、製造時の姿勢が、主走査方向には同じで、副走査方向には反対になるように配置されると共に、上記光偏向装置から出射され、対応する上記被走査面に到達するまでの光路を折り曲げるミラー枚数が、各光線について、全て奇数枚か又は全て偶数枚であることを特徴とする請求項１〜３のいずれかに記載の光走査装置。
【請求項５】
上記光学部品として成形された光学部品を含み、異なる光線に対し同じ作用を行う成形された同種の上記光学部品は、そのゲート位置が、主走査方向には同じ方向で、副走査方向には反対方向を向いて配置されていることを特徴とする請求項４に記載の光走査装置。
【請求項６】
異なる光線に対し同じ作用を行う成形された同種の上記光学部品は、同じキャビティーで成形されたものであることを特徴とする請求項５に記載の光走査装置。
【請求項７】
上記光学部品として研磨加工されている光学部品を含み、異なる光線に対し同じ作用を行う研磨加工された同種の上記光学部品は、その研磨の方向が、主走査方向には同じ方向で、副走査方向には反対方向を向いて配置されていることを特徴とする請求項４に記載の光走査装置。
【請求項８】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査装置において、
上記光偏向装置は、その複数の面によってそれぞれ複数の光線を偏向するものであり、  全ての光学部品は、製造時の姿勢が、主走査方向には同じで、副走査方向には反対になるように配置されると共に、上記光偏向装置から出射され、対応する上記被走査面に到達するまでの光路を折り曲げるミラー枚数が、各光線について、全て奇数枚か又は全て偶数枚であり、上記被走査面への入射角が等しいことを特徴とする光走査装置。
【請求項９】
上記光学部品として成形された光学部品を含み、異なる光線に対し同じ作用を行う成形された同種の上記光学部品は、そのゲート位置が、主走査方向には同じ方向で、副走査方向には反対方向を向いて配置されていることを特徴とする請求項８に記載の光走査装置。
【請求項１０】
異なる光線に対し同じ作用を行う成形された同種の上記光学部品は、同じキャビティーで成形されたものであることを特徴とする請求項９に記載の光走査装置。
【請求項１１】
上記光学部品として研磨加工されている光学部品を含み、異なる光線に対し同じ作用を行う研磨加工された同種の上記光学部品は、その研磨の方向が、主走査方向には同じ方向で、副走査方向には反対方向を向いて配置されていることを特徴とする請求項８〜１０のいずれかに記載の光走査装置。
【請求項１２】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査方法において、
上記偏向後光学装置が、それぞれが複数光線に作用する第１及び第２の偏向後光学系と、上記第１の偏向後光学系が作用させた複数光線を分離させる第１の光線分離手段と、上記第２の偏向後光学系が作用させた複数光線を分離させる第２の光線分離手段とを有し、
上記偏向前光学装置及び上記光偏向装置が、複数の光線を、上記第１及び第２の偏向後光学系に振り分ける構成を有し、
入射角に対し出射角を変える機能を持つ上記偏向後光学装置の全ての光学素子は、上記光偏向装置の同時期に同一面で偏向される全ての光線に作用する
ことを特徴とする光走査方法。
【請求項１３】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査方法において、
上記偏向後光学装置が、それぞれが複数光線に作用する第１及び第２の偏向後光学系と、上記第１の偏向後光学系が作用させた複数光線を分離させる第１の光線分離手段と、上記第２の偏向後光学系が作用させた複数光線を分離させる第２の光線分離手段とを有し、
上記偏向前光学装置及び上記光偏向装置が、複数の光線を、上記第１及び第２の偏向後光学系に振り分ける構成を有し、
上記第１及び又は第２の偏向後光学系へ出射する上記光偏向装置への複数の入射光線を、副走査方向に、上記第１及び又は第２の偏向後光学系内にて、走査線が交差する方向へ傾けた
ことを特徴とする光走査方法。
【請求項１４】
偏向前光学装置、光偏向装置及び偏向後光学装置を有し、上記偏向前光学装置が、複数の光線のそれぞれの断面形状を所定の形状に整えた後、上記光偏向装置の所定の位置に向けて案内し、上記光偏向装置が、上記偏向前光学装置からの複数の光線を偏向走査し、上記偏向後光学装置が、偏向走査された各光線を対応する各被走査面に結像させる光走査方法において、
上記光偏向装置は、その複数の面によってそれぞれ複数の光線を偏向するものであり、
全ての光学部品は、製造時の姿勢が、主走査方向には同じで、副走査方向には反対になるように配置されると共に、上記光偏向装置から出射され、対応する上記被走査面に到達するまでの光路を折り曲げるミラー枚数が、各光線について、全て奇数枚か又は全て偶数枚であり、上記被走査面への入射角が等しいことを特徴とする光走査方法。